(57)【要約】【課題】従来のＰＣのキーボードを、ロールアップ式キーボード単独から、手書き式入力型及びバーチャル型従来型キーボードキー配列キー表示キータッチ式入力型並立式にする。【解決手段】ＰＣのキーボードにフラットパネルを採用し、手書き入力用画面と、従来のキーボードのキー配列を表示する画面の、２画面表示を可能にして、手書き入力と、キータッチ入力を可能にする。キーボード内にプロセッサーを設置して、手書き入力されたデータを、ＰＣのオペレーティングシステムが理解できるデータに変換して、ＰＣの本体に送る。キータッチ入力の際、キーを打つ手が疲れないように、キーボード下部とキーボードホームポジション付近にレストポジションを設ける。又は、キータッチ入力モードのバーチャル表示されたキーボード上にレストボタンを設けて、それにタッチすると、キータッチ入力画面の入力モードと非入力モードが切れ替わるようにする。また、キータッチ入力画面モードの際、キーボードのホームポジション部分を、別色に発色させる。【選択図】図１，図２
2006031652.tif 000002
【特許請求の範囲】
【請求項１】
キーボードにフラットパネルを採用し、２画面表示を可能にして、タブレットＰＣで実現されている手書き入力と、フラットパネルに表示された従来のキーボードのキー表示のキーを打つ、タッチ入力を、可能にしたキーボード。
【発明の詳細な説明】
【技術分野】
【０００１】  ＰＣのキーボードを、手書き入力とキータッチ入力を併用にしたもの。
［背景技術］【０００２】  従来のキーボードは、ロールアップキーボードであった。
［発明の開示］
［発明が解決しようとする課題］【０００３】  従来のＰＣのキーボードと手書き入力の両方の長所を生かし、より快適な入力を可能にする。
［課題を解決するための手段］【０００４】  キーボードにフラットパネルを採用し、２画面表示を可能にして、手書き入力をするための画面と、キータッチ入力をするための画面を、表示できるようにし、２方法の入力を可能にする。
［発明の効果］【０００５】  ＰＣの入力方法が２通りになることによって、より柔軟な入力ができるようになる。
［発明を実施するための最良の形態］【０００６】  キーボードにフラットパネルを採用し、手書き入力の際の画面と、キータッチ入力の際の画面を表示できるようにし、２通りの入力ができるようにする。
【図面の簡単な説明】
【０００７】
【図１】  フラットパネルを採用したキーボードの２つの画面の表示。
【図１】
2006031652.tif 000003
【手続補正書】
【提出日】平成16年9月14日(2004.9.14)
【手続補正１】
【補正対象書類名】特許請求の範囲
【補正対象項目名】請求項１
【補正方法】変更
【補正の内容】
【請求項１】
キーボードにフラットパネルを採用し、２画面表示を可能にして、手書き入力と、フラットパネルに表示された、従来のキーボードのキー配列のバーチャル表示のキーを打つ、キータッチ入力を可能にしたキーボード。キーボード内にプロセッサーを取り付け、手書き入力したデータを、ＰＣのオペレーティングシステムが理解できるデータに変換して、ＰＣの本体に送る。キータッチ入力の際、キーを打つ手が疲れないように、キーボード下部とキーボードホームポジション付近にレストポジションを設ける。または、バーチャル表示されたキーボード上にレストボタンを設けて、それにタッチすると、キータッチ入力モードの入力モードと非入力モードが切れ替わるようにする。また、キータッチ入力画面の際、キーボードのホームポジション部分を別色に発色させる。
【手続補正２】
【補正対象書類名】明細書
【補正対象項目名】全文
【補正方法】変更
【補正の内容】
【発明の詳細な説明】
【技術分野】
【０００１】ＰＣのキーボードを、手書き式入力と、バーチャル型従来型キーボードキー配列キー表示キータッチ式入力を併用にしたもの。
【背景技術】
【０００２】従来のキーボードはロールアップ式キーボードであった。
【発明の開示】
【発明が解決しようとする課題】
【０００３】従来のＰＣの入力方法と手書き式入力の両方の長所を生かし、より快適な入力を実現する。
【課題を解決するための手段】
【０００４】キーボードにフラットパネルを採用し、２画面表示を可能にして、手書き入力用の画面と、従来型のキーボードのキー配列をバーチャル表示したキータッチ入力用の画面を、表示できるようにし、２方法の入力を可能にする。キーボード内にプロセッサーを設置し手書き入力したデータを、ＰＣのオペレーティングシステムが理解できるデータに変換して、ＰＣの本体に送る。キータッチ入力の際、キーを打つ手が疲れないように、キーボード下部とキーボードホームポジション付近に、レストポジションを設ける。又は、キータッチ入力モードのバーチャル表示されたキーボード上にレストボタンを設けて、それにタッチすると、キータッチ入力モードの入力モードと非入力モードが切れ替わるようにする。また、キータッチ入力画面の際、キーボードのホームポジション部分を別色に発色させる。
【発明の効果】
【０００５】ＰＣの入力方法が２通りになることによってより柔軟な入力ができるようになる。
【発明を実施するための最良の形態】
【０００６】キーボードにフラットパネルを採用し、手書き入力用の画面と、従来型のキーボードのキー配列をバーチャル表示したキータッチ入力用の画面を表示できるようにし、２通りの入力ができるようにする。キーボード内にプロセッサーを設置して、手書き入力したデータを、ＰＣのオペレーティングシステムが理解できるデータに変換して、ＰＣの本体に送る。キータッチ入力の際、キーを打つ手が疲れないように、キーボード下部とキーボードホームポジション付近にレストポジションを設ける。または、キータッチ入力モードのバーチャル表示されたキーボード上にレストボタンを設けて、それにタッチすると、キータッチ入力モードの入力モードと非入力モードが切れ替わるようにする。また、キータッチ入力画面の際、キーボードのホームポジション部分を別色に発色させる。
【図面の簡単な説明】
【０００７】
【図１】は、２通りの、レストボタン搭載の、プロセッサーを内蔵した、２画面表示の、フラットパネル採用手書き式入力型及びバーチャル型従来型キーボードキー配列キー表示キーボードキータッチ式入力型並立キーボード。
【図２】は、２通りの、レストポジションを設置した、プロセッサーを内蔵した、２画面表示の、フラットパネル採用手書き式入力型及びバーチャル型従来型キーボードキー配列キー表示キーボードキータッチ式入力型並立キーボード
【符号の説明】
【０００８】
【図１】
符号１は、手書き入力画面キーボード、符号２は、レストボタン搭載キータッチ入力画面キーボード、符号３は、スタイラスペン、符号４は、プロセッサー、符号５はレストボタン、符号６は、別色に発色されたホームポジション  符号７は、切り替えボタン。
【図２】
符号１は、手書き入力画面キーボード、符号２はレストポジション設置キータッチ入力画面キーボード。符号３は、スタイラスペン符号４は、プロセッサー、符号５は２ヶ所のレストポジション、符号６は、別色に発色されたホームポジション、符号７は、切り替えボタン。
【手続補正３】
【補正対象書類名】図面
【補正対象項目名】全図
【補正方法】変更
【補正の内容】
【図１】
2006031652.tif 000004
【図２】
2006031652.tif 000005